(57)【特許請求の範囲】
【請求項１】
背凭れにおける多数の肉抜き孔が穿設された背板の前面と、この前面を覆うクッション体との間に、透光性を有する透明なランバーサポートを、上下位置調節可能として装着したことを特徴とする椅子におけるランバーサポート装置。
【請求項２】
背板の左右両側部に上下方向を向くスリットを形成することにより、両スリットの内方の背受け部を前後方向に可撓性を有するものとした請求項１記載の椅子におけるランバーサポート装置。
【請求項３】
背板の中間部にも、左右のスリットと連なる水平のスリットを形成し、かつこの水平のスリットを挟んで対向する上下の背受け部の対向端同士の適所を、可撓片により接続した請求項２記載の椅子におけるランバーサポート装置。
【請求項４】
ランバーサポートの左右両側部を、左右のスリット部において背受け部の左右両側部に上下動可能に係合した請求項１〜３のいずれかに記載の椅子におけるランバーサポート装置。
【請求項５】
ランバーサポートの左右両側部と、背受け部の左右両側部とに、互いに弾性的に係合し合うことにより、ランバーサポートを任意の位置で係止保持可能な係合手段を設けた請求項４記載の椅子におけるランバーサポート装置。
【請求項６】
係合手段が、上下方向に複数設けられた波形の係止凹溝と、この係止凹溝に選択的に係合可能な弾性係合片とからなるものである請求項５記載の椅子におけるランバーサポート装置。
【発明の詳細な説明】
【０００１】
【発明の属する技術分野】
本発明は、椅子の背凭れに設けられ、座者の腰部を支持するランバーサポート装置に関する。
【０００２】
【従来の技術】
椅子の背凭れの中には、座者の腰部を快適に支持することにより、長時間着座時の疲労感を緩和しうるようにしたランバーサポートが設けられているものがある。
このランバーサポートは、通常、背板とその表面を覆うクッション体との間に上下位置を調節可能として設けられるため、外部には露呈しない。
【０００３】
そのため、従来のランバーサポートの色は、背板の色との調和を図ることなく決められ、例えば合成樹脂により成形する際には、最も安価な黒色または素材自体の色とすることが多い。
【０００４】
【発明が解決しようとする課題】
椅子の背板には、通気性を持たせるとともに、可撓性を持たせて背凭れ時の感触を向上させるために、多数の肉抜き孔を設けたものがある。
【０００５】
このような肉抜き孔を有する背凭れに、上記従来のような背板の色と異なる黒色等のランバーサポートを設けると、これが多数の肉抜き孔を通して露見されて目立ち、椅子全体としての外観上の体裁が損なわれる。
【０００６】
また、従来のランバーサポートは不透光性でもあるため、その裏側のクッション体に、肉抜き孔を通過した光が当たらなくなり、ランバーサポートを定位置で長期間使用すると、その裏側のクッション体の色合いが、他の部分に色あせが生じることにより濃くなる。
【０００７】
このようになると、ランバーサポートの位置を上下にずらした際、クッション体の色合いに濃淡が生じていることが、肉抜き孔を通して露見され、見栄えが悪くなる。
【０００８】
本発明は、上記問題点に鑑みてなされたもので、ランバーサポートの存在感を薄くし、目立たなくすることにより、椅子の体裁を向上させるとともに、クッション体の色合いに濃淡が生じるのを防止し、かつランバーサポートの上下位置調節時の操作性の向上、背板の可撓性の向上等を図った椅子におけるランバーサポート装置を提供することを目的としている。
【０００９】
【課題を解決するための手段】
本発明によると、上記課題は、次のようにして解決される。
(１) 背凭れにおける多数の肉抜き孔が穿設された背板の前面と、この前面を覆うクッション体との間に、透光性を有する透明なランバーサポートを、上下位置調節可能として装着する。
【００１０】
(２) 上記(１)項において、背板の左右両側部に上下方向を向くスリットを形成することにより、両スリットの内方の背受け部を前後方向に可撓性を有するものとする。
【００１１】
(３) 上記(２)項において、背板の中間部にも、左右のスリットと連なる水平のスリットを形成し、かつこの水平のスリットを挟んで対向する上下の背受け部の対向端同士の適所を、可撓片により接続する。
【００１２】
(４) 上記(１)〜(３)項のいずれかにおいて、ランバーサポートの左右両側部を、左右のスリット部において背受け部の左右両側部に上下動可能に係合する。
【００１３】
(５) 上記(４)項において、ランバーサポートの左右両側部と、背受け部の左右両側部とに、互いに弾性的に係合し合うことにより、ランバーサポートを任意の位置で係止保持可能な係合手段を設ける。
【００１４】
(６) 上記(５)項において、係合手段が、上下方向に複数設けられた波形の係止凹溝と、この係止凹溝に選択的に係合可能な弾性係合片とからなるものとする。
【００１５】
【発明の実施の形態】
以下、本発明の実施形態を、図面に基づいて説明する。
図１は、本発明を適用した椅子の側面図、図２は、同じく背面図を示すもので、中心部から放射状に延出する５本よりなる支持脚(１)の先端部には、キャスタ(２)がそれぞれ設けられ、支持脚(１)の中心部に立設された脚柱(３)の上端部には、支基(４)が固着されている。
【００１６】
支基(４)には、側面視Ｌ字形をなして後上方に延出し、背板(５)を支持する左右１対の背杆(６)の下部前端が、左右方向を向く軸(７)をもって枢着され、背板(５)及び背杆(６)は、支基(４)内に設けられたリクライニング機構(図示略)により、図１に示す起立位置から、後方へ所望角度傾動しうるようになっている。
【００１７】
支基(４)の上方には、座(８)が、座受体(９)を介して、背板(５)及び背杆(６)の後傾と連動して後下方へ移動するように支持されている。
座受体(９)の両側部には、左右方向に延出する支杆(9a)を介して、肘掛け(10)が設けられている。
【００１８】
背板(５)は、図３の正面図にも示すように、合成樹脂によりほぼ縦長矩形状に一体成形され、その両側部に上下方向を向くスリット(11)(11)を切設することにより、その外側方を高剛性の側枠部(12)とし、かつスリット(11)より内方を、可撓性を有する低剛性の背受け部(13)としてある。
【００１９】
上記背受け部(13)の前後方向の厚さは、側枠部(12)のそれよりも小としてあり、これにより背受け部(13)に可撓性を持たせている。
【００２０】
背受け部(13)の上方寄りには、左右方向を向き、かつ両端が左右のスリット(11)の中央部に連続する水平のスリット(14)が形成され、このスリット(14)の中央部に一体成形された前向きＵ字状の可撓片(15)により、スリット(14)を挾む上下の背受け部(13)の対向端縁が接続されている。
【００２１】
背受け部(13)は、上記左右のスリット(11)と水平のスリット(14)、及び可撓片(15)の作用により、背凭れ時に大きく撓むことができる。
【００２２】
背受け部(13)には、横長六角形状の多数の肉抜き孔(16)が穿設され、全体をメッシュ状とすることにより、通気性及び可撓性をさらに高めるようにしてある。
【００２３】
背板(５)における両側部裏面の下半部は、左右の背杆(６)の前面にねじ止めされている。
【００２４】
(17)は、背板(５)の前面全体を覆うクッション体で、その上端には、背板(５)の上端を後方に向かって巻き込む巻込み部(17a)が形成されている。巻込み部(17a)は、背板(５)の上端部に穿設された複数の係合孔(18)に着脱可能として止着されている。
【００２５】
図３に示すように、背受け部(13)における中間部前面の左右両側部には、後述するランバーサポート(20)を上下位置調節可能に保持する案内突条(19)(19)が、左右のスリット(11)の下端部とほぼ平行をなす上下方向を向いて突設されている。
【００２６】
両案内突条(19)における互いに対向する内側面には、波形の係止凹溝(19a)が、上下方向に複数形成されている。
【００２７】
ランバーサポート(20)は、図４〜図８に示すように、ほぼ半円筒形をなす横長の本体(21)と、その左右両端部上面より上向きに延出する１対の吊腕(22)(22)と、両吊腕(22)の上端に連設された支持部(23)とよりなり、それらは、透光性の透明な合成樹脂材、例えばスチロール樹脂、メタクリル樹脂、ＡＳ又はＡＢＳ樹脂、ポリカーボネート等の無色透明でかつ比較的硬質の合成樹脂により一体成形されている。
【００２８】
上記本体(21)は、外周面が前方を向くようにして、中央部が後方になだらかに膨出するように湾曲させてある。
【００２９】
吊腕(22)の中間部には、波形の可撓部(22a)が形成され、吊腕(22)は可撓部(22a)を中心として前後に撓曲しうるようになっている。
【００３０】
両支持部(23)は、図４及び図６に拡大して示すように、平面視内向きＵ字状の抱持片(24)と、その後部側の垂直片(24a)に後向きに突設された上下１対の把持片(25)(25)とを備え、かつ抱持片(24)の前部側の垂直片(24b)の内端には、若干後向きに延出するとともに、互いの対向端部を内向きに若干折曲してその内側面を円弧状に湾曲させた上下１対の弾性係合片(26a)(26b)が一体的に形成されている。
【００３１】
各抱持片(24)の内方の開口端縁には、上下方向を向く突条(27)(27)が対向状に形成され、両突条(27)の対向面間の離間寸法は、上記背受け部(13)の板厚と同等、もしくは若干小さくしてある。
【００３２】
抱持片(24)における前後の垂直片(24a)(24b)間の距離寸法は、背受け部(13)に余裕をもって挾入しうる寸法としてある(図４参照)。
【００３３】
このような構造のランバーサポート(20)を背受け部(13)に取付けるには、図３及び図４に示すように、クッション体(17)を取外した状態で、背受け部(13)の前面側より、左右の支持部(23)における抱持片(24)を、左右のスリット(11)と水平のスリット(14)とが連なる空間部(Ｓ)に位置させ、前後の垂直片(24a)(24b)により下半部の背受け部(13)の両側部を外側より抱え込むようにして上方より挿入する。
【００３４】
この際、抱持片(24)の開口端部に形成した突条(27)間の寸法を、背受け部(13)の板厚よりも若干小としておけば、抱持片(24)が拡開方向に弾性変形し、その弾性力により、背受け部(13)の前後の面をがたなく挾持することができる。
【００３５】
両抱持片(24)を、背受け部(13)の両側部前面に形成した案内突条(19)の上端部まで挿入したのち、上下の弾性係合片(26a)(26b)が案内突条(19)に乗り上げるまで強く押し下げる。すると、弾性係合片(26a)(26b)が前方に弾性変形させられた状態で、案内突条(19)の内側面の波形の係止凹溝(19a)のいずれか弾性係合する。
【００３６】
これにより、ランバーサポート(20)は、上下方向に妄りに移動するのが防止され、かつ係止凹溝(19a)の数だけ上下位置を段階的に調節することができる。この際、吊腕(22)には、可撓部(22a)が形成されているので、背受け部(13)の下部が前方に湾曲していても、支障なく上下動させることができる。
【００３７】
なお、上下位置を調節する際は、背板(５)の後方より、両支持部(23)の後部の把持片(25)をつまんで上下に移動させればよい。
【００３８】
以上説明したように、上記実施形態のランバーサポート(20)は、全体が透光性の無色透明な合成樹脂材により形成されているため、その存在感は薄く、背板(５)の肉抜き孔(16)を通して視認されても目立つようなことはない。
【００３９】
また、肉抜き孔(16)を通過した光が、ランバーサポート(20)を透過してクッション体(17)の裏面に当たるので、ランバーサポート(20)を長期間定位置で使用しても、その裏側のクッション体(17)と他の部分との色あいに濃淡が生じることはない。従って、この濃淡が、ランバーサポート(20)を上下動させた際に肉抜き孔(16)より露見されて、体裁が損なわれることもなくなる。
【００４０】
【発明の効果】
請求項１記載の発明によれば、ランバーサポートの存在感が薄くなるため、背板とクッション体とをどのような色としても、その肉抜き孔(16)を通してランバーサポートの有無がはっきりと認識されなくなり、体裁が向上する。
【００４１】
また、ランバーサポートを長期間定位置で使用しても、その裏側のクッション体と他の部分とに、色あいに濃淡が生じることがないので、これが肉抜き孔より露見されて体裁が損なわれるということもない。
【００４２】
請求項２記載の発明によれば、背受け部が背凭れ時に後方に湾曲するように適度に撓むため、座り心地がよく、かつ疲労感も緩和される。
【００４３】
請求項３記載の発明によれば、背受け部の撓み代が大となるため、座り心地や疲労感がより向上する。
【００４４】
請求項４記載の発明によれば、ランバーサポートと背板との係合部が、クッション体により隠蔽されるので、体裁が向上する。
【００４５】
請求項５記載の発明によれば、ランバーサポートの上下位置を、座者の座高等に応じて容易に調節することができる。
【００４６】
請求項６記載の発明によれば、ランバーサポートの上下位置を段階的に、かつ節度感をもって円滑に調節しうる。
【図面の簡単な説明】
【図１】本発明を適用した椅子の側面図である。
【図２】同じく、背面図である。
【図３】同じく、ランバーサポートを取付けた状態の背板の正面図である。
【図４】図３のIV−IV線の拡大横断平面図である。
【図５】本発明のランバーサポートを背面から見た斜視図である。
【図６】同じく、支持部の拡大斜視図である。
【図７】同じく、正面図である。
【図８】同じく、平面図である。
【符号の説明】
(１)支持脚
(２)キャスタ
(３)脚柱
(４)支基
(５)背板
(６)背杆
(７)軸
(８)座
(９)座受体
(9a)支杆
(10)肘掛け
(11)スリット
(12)側枠部
(13)背受け部
(14)スリット
(15)可撓片
(16)肉抜き孔
(17)クッション体
(17a)巻込み部
(18)係合孔
(19)案内突条
(19a)係止凹溝
(20)ランバーサポート
(21)本体
(22)吊腕
(22a)可撓部
(23)支持部
(24)抱持片
(24a)(24b)垂直片
(25)把持片
(26a)(26b)弾性係合片
(27)突条
(Ｓ)空間部
【図１】
0004456265.tif 000002
【図２】
0004456265.tif 000003
【図３】
0004456265.tif 000004
【図４】
0004456265.tif 000005
【図５】
0004456265.tif 000006
【図６】
0004456265.tif 000007
【図７】
0004456265.tif 000008
【図８】
0004456265.tif 000009